(57)【要約】【課題】  酸化チタンを含めても変形自在の自由度があり、地上設備として例えば電柱等の外周に簡易に設置することができ、しかも、路側環境対策の有効な部材として利用することができる地上設備のカバーを提供する。【解決手段】  地上設備２としての電柱３等のカバーであって、電柱３の外周を包囲するための酸化チタンを含む変形自由のカバー本体１１と、カバー本体１１の外周を包囲して、当該カバー本体１１の電柱３からの離脱を防止するとともに、酸化チタンを含むカバー本体１１の総合的に広い面積を露出させる複数の縦窓１５を有する離脱防止体１３とを備える。【選択図】      図１
2007252150.tif 000002
【特許請求の範囲】
【請求項１】
地上設備のカバーであって、
前記地上設備の外周を包囲するための酸化チタンを含む変形自由のカバー本体と、
前記カバー本体の外周を包囲して、当該カバー本体の離脱を防止する離脱防止体とを備えることを特徴とする地上設備のカバー。
【請求項２】
前記カバー本体は、不織布系の繊維、やし繊維、もしくは化学繊維を用いて所定厚に構成するとともに、少なくともその外表面から内部にかけて酸化チタンを混入させてなることを特徴とする請求項１に記載の地上設備のカバー。
【請求項３】
前記カバー本体は、前記地上設備の外周を包囲してその一端同士が接する際、その一端同士の接続維持を可能にする接続構造を有することを特徴とする請求項１または２に記載の地上設備のカバー。
【請求項４】
前記離脱防止体は、前記地上設備を包囲する前記カバー本体の外周を締付けるベルト締め構造を有するとともに、人に視覚的に任意にアピールする任意の表現構成を含むことを特徴とする請求項１乃至３の何れか一つに記載の地上設備のカバー。
【請求項５】
前記表現構成は、危険もしくは注意をアピールする表現構成であることを特徴とする請求項１乃至４の何れか一つに記載の地上設備のカバー。
【請求項６】
前記離脱防止体は、メッシュ状に構成されていることを特徴とする請求項１乃至５の何れか一つに記載の地上設備のカバー。
【請求項７】
前記地上設備は、地上に存在する任意の設備であり、電柱、電柱のアース設備、道路標識の主柱、信号機の主柱、道路分離の案内物、中央分離帯の柵構成物、ガードレール、遮断棒、対向車両ライト遮断板、バリケード、板樹木、街路樹をも含むことを特徴とする請求項１乃至６の何れか一つに記載の地上設備のカバー。
【発明の詳細な説明】
【技術分野】
【０００１】
本発明は、地上設備の酸化チタンを含むカバーにかかわり、例えば路側環境対策の一つとして有効であるとともに、人に視覚的に危険をアピールしたり宣伝効果をアピールしたりすることが可能である地上設備のカバーに関する。
【背景技術】
【０００２】
酸化チタンは、紫外線に反応して酸化分解作用を発揮し、臭い因子の分解や、空気中の有害物質として、例えばカーボン、油煙、塵埃、ＮＯｘ（窒素酸化物）等の分解を可能にする環境対策（路側環境対策）の一つとして注目されている。酸化チタンを如何に加工して製品化し一般に提供するかという、現在この一点に着目した様々な研究開発が盛んに進められている。
【０００３】
その一例として、酸化チタンによって分解されにくいプラスチックに酸化チタン粉末を分散させた塗布液を、酸化チタンによって分解されにくいプラスチックシート上に塗布し硬化させた光触媒シートが知られている（例えば、特許文献１参照）。
【０００４】
【特許文献１】特開特開２００２−１９４１１１号公報
【発明の開示】
【発明が解決しようとする課題】
【０００５】
しかしながら、上記従来の光触媒シートは、変形し難いプラスチックシート上に液状の酸化チタン粉末を塗布するという構成であるため、地上設備として例えば電柱等の外周に沿わせて設置するといった自由度がなく、例えば路側環境対策の一環として利用するのは非常に困難であった。
【０００６】
本発明は、上記従来の技術の問題点を解決し、酸化チタンを含めても変形自在の自由度があり、地上設備として例えば電柱等の外周に簡易に設置することができ、しかも、路側環境対策の有効な部材として利用することができる地上設備のカバーを提供することを目的とする。
【課題を解決するための手段】
【０００７】
上記目的を達成するため、請求項１に記載の本発明は、地上設備のカバーであって、前記地上設備の外周を包囲するための酸化チタンを含む変形自由のカバー本体と、前記カバー本体の外周を包囲して、当該カバー本体の離脱を防止する離脱防止体とを備えることを特徴とする。
【０００８】
請求項２に記載の本発明は、前記カバー本体は、不織布系の繊維、やし繊維、もしくは化学繊維を用いて所定厚に構成するとともに、少なくともその外表面から内部にかけて酸化チタンを混入させてなることを特徴とする。
【０００９】
請求項３に記載の本発明は、前記カバー本体は、前記地上設備の外周を包囲してその一端同士が接する際、その一端同士の接続維持を可能にする接続構造を有することを特徴とする。
【００１０】
請求項４に記載の本発明は、前記離脱防止体は、前記地上設備を包囲する前記カバー本体の外周を締付けるベルト締め構造を有するとともに、人に視覚的に任意にアピールする任意の表現構成を含むことを特徴とする。
【００１１】
請求項５に記載の本発明は、前記表現構成は、危険もしくは注意をアピールする表現構成であることを特徴とする。
【００１２】
請求項６に記載の本発明は、前記離脱防止体は、メッシュ状に構成されていることを特徴とする。
【００１３】
請求項７に記載の本発明は、前記地上設備は、地上に存在する任意の設備であり、電柱、電柱のアース設備、道路標識の主柱、信号機の主柱、道路分離の案内物、中央分離帯の柵構成物、ガードレール、遮断棒、対向車両ライト遮断板、バリケード、樹木もしくは街路樹をも含むことを特徴とする。
【発明の効果】
【００１４】
本発明によれば、酸化チタンを含めても変形自在の自由度があり、地上設備として例えば電柱等の外周に簡易に設置することができ、しかも、路側環境対策の有効な部材として利用することができる地上設備のカバーを提供することができる。
【発明を実施するための最良の形態】
【００１５】
以下、図面を参照して、本発明に係る地上設備のカバーの一実施の形態について説明する。図１は本実施の形態に係る地上設備のカバー１の構成を説明する説明図である。
【００１６】
地上設備２には、地上に設置されている設備のすべてを含むものであり、例えば、路側の電柱、電柱のアース設備、道路標識の主柱、信号機の主柱、道路分離の案内物、中央分離帯の柵構成物（植木等も含む）、ガードレール、遮断棒、高速道路や一般道の対向車両ライト遮断板、バリケード等がその一例である。但し、本明細書においては樹木や街路樹も地上設備２に含めるものであり、以下、地上設備２には、代表例として電柱３を例示する。
【００１７】
本実施の形態の地上設備２のカバー１は、図１に示すように、地上設備２としての電柱３の外周を包囲する酸化チタンを含む変形自由のカバー本体１１を備える。
【００１８】
カバー本体１１は、例えば、不織布系の繊維、やし繊維、もしくは化学繊維等を用いて所定厚に構成されており、少なくともその外表面から内部にかけて酸化チタンが混入されている。但し、カバー本体１１には、スポンジ等の吸水性のある部材を用いても良い。
【００１９】
カバー本体１１の厚さは、任意の厚さを採用して良く、例えば、不織布系で１．０ｍｍ〜１０．０ｍｍ程度、やし繊維で１０．０ｍｍ程度、化学繊維で０．１ｍｍ〜３０．０ｍｍ程度等の厚さが一つの目安であるが、それよりも厚く構成しても良い。即ち、カバー本体１１は、所謂変形自由の繊維質シートである。
【００２０】
カバー本体１１には、例えば、カバー本体１１を酸化チタン水溶液に含侵することで、もしくは酸化チタン水溶液を噴霧することで、少なくともその外表面から内部にかけて酸化チタンが混入されている。カバー本体１１に対する酸化チタンの混入の割合は特段の制約はなく、即ち任意の割合で混入させて良い。
【００２１】
カバー本体１１は、図２に示すように、変形自由の繊維質シートとして例えば電柱３の周囲を包囲し得る横寸法、及び任意の縦寸法を有する一枚の四角形状に構成されるものである。しかし、カバー本体１１は、複数枚を一枚状に重ね合わせて構成しても良い。
【００２２】
カバー本体１１は、図３に示すように、必要に応じて、地上設備２としての電柱３の外周を包囲させる際にその一端同士が接するが、必要に応じて、その一端同士に、その一端同士の接続維持を可能にする接続構造１２をあらかじめ有するように構成しても良い。接続構造１２には、例えばファスナを例示するが、面ファスナ（即ちマジックテープ（登録商標））や、ボタンとボタンへの紐掛け、もしくはカバー本体１１の素材やその表面の係止糸に食い込む爪等を用いても良い。
【００２３】
尚、カバー本体１１には、例えばその一部に伸縮可能の織物やゴム材等を含めて地上設備２としての電柱３を包囲させた際にある程度の収縮力で密着性をおびるように構成することも電柱３への装着の際の作業性を向上させる上で好ましい態様である。
【００２４】
一方、本実施の形態の地上設備２のカバー１は、カバー本体１１の外周を包囲して、当該カバー本体１１の地上設備２としての電柱３からの離脱を防止する離脱防止体１３を備える。
【００２５】
離脱防止体１３は、図１及び図４に示すように、一つには、地上設備２としての電柱３の外周を包囲するカバー本体１１の外周を締付けて、カバー本体１１の電柱への装着を固定するための例えばベルト締め構造１４を有する包囲体としての構成を有する。
【００２６】
離脱防止体１３の材質には、例えばステンレス等の金属や樹脂等を用いて良く、従ってベルト締め構造１４は、金属ベルトもしくは樹脂ベルトとしてカバー本体１１を締付ける構成とすることが好ましい。ベルト締め構造１４には締付け力を発生しかつ維持する任意の構成を採用して良い。
【００２７】
一方、離脱防止体１３は、また、一つには、図４に示すように、任意の表現構成として人に視覚的に「危険」もしくは「注意」をアピールする例えば黄色の短冊状のデザイン帯としての構成を有する。
【００２８】
即ち、離脱防止体１３は、黄色の短冊状のデザイン帯として横方向に複数の所謂縦窓１５を有する。離脱防止体１３は、カバー本体１１の黒色を各縦窓１５から外界に露出させることによる離脱防止体１３の黄色とカバー本体１１の黒色とのコントラストの強調（図１参照：色表示はせず）で人に視覚的に「危険」もしくは「注意」をアピールする。但し、離脱防止体１３は、図５に示すように、各縦窓１５を斜めに傾かせることで人に視覚的に「危険」もしくは「注意」をアピールするように構成しても良い。
【００２９】
本実施の形態のカバー本体１１は、酸化チタンを含む母材が繊維質であるため、無許可の張り紙等は貼りにくくかつ剥がれ易く、即ち無許可チラシ撤去等の対策としても有効であり、しかも酸化チタンの表面積を増して光触媒効果を増すとともに光触媒効果を永続的に発揮することができる。即ち離脱防止体１３を用いるため、危険防止や注意喚起の目安としても非常に効果的である上に、複数の縦窓１５による酸化チタンの露出面積の増大化に伴って環境浄化の効果が高く、路側環境対策の実現化を図る部材として非常にその利用価値が高い。
【００３０】
尚、離脱防止体１３は、図６に示すように、メッシュ状の樹脂カバー１６を用いても良く、あるいは外表面をメッシュ状もしくは一平面状に構成し、その外表面に広告等の宣伝効果を人に視覚的にアピールする任意の表現を施しても良い。広告等の場合、これは必ずしも離脱防止体１３の外表面に直に記録等する必要はなく、随時貼り換えて使用するようにしても良い。
【産業上の利用可能性】
【００３１】
本発明は、地上設備として例えば電柱等の危険防止をアピールするカバーとして利用することができ、しかも、路側環境対策に有効な地上設備のカバーとして利用することができる。
【図面の簡単な説明】
【００３２】
【図１】一実施の形態の地上設備のカバーの構成を説明する説明図である。
【図２】カバー本体の構成を説明する説明図である。
【図３】カバー本体の変形構成を説明する説明図である。
【図４】カバー本体の接続構成を説明する説明図である。
【図５】離脱防止体の構成を説明する説明図である。
【図６】離脱防止体の変形構成を説明する説明図である。
【符号の説明】
【００３３】
１  地上設備のカバー
２  地上設備
３  電柱
１１  カバー本体
１２  接続構造
１３  離脱防止体
１４  ベルト締め構造
１５  縦窓
１６  樹脂カバー
【図１】
2007252150.tif 000003
【図２】
2007252150.tif 000004
【図３】
2007252150.tif 000005
【図４】
2007252150.tif 000006
【図５】
2007252150.tif 000007
【図６】
2007252150.tif 000008
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
地上設備のカバーであって、
前記地上設備の外周を包囲する変形自由のカバー本体と、
前記カバー本体の外周を包囲して、当該カバー本体の離脱を防止する離脱防止体とを備え、
カバー本体は、繊維質または吸水性のある部材で所定厚に構成され、酸化チタン水溶液に含浸されまたは酸化チタン水溶液が噴霧されて、少なくとも外表面から内部にかけて酸化チタンが混入され、
離脱防止体は、酸化チタンを露出させる窓が設けられていることを特徴とする地上設備のカバー。
【請求項２】
地上設備のカバーであって、
前記地上設備の外周を包囲する変形自由のカバー本体と、
前記カバー本体の外周を包囲して、当該カバー本体の離脱を防止する離脱防止体とを備え、
カバー本体は、繊維質または吸水性のある部材で所定厚に構成され、酸化チタン水溶液に含浸されまたは酸化チタン水溶液が噴霧されて、少なくとも外表面から内部にかけて酸化チタンが混入され、
離脱防止体は、酸化チタンを露出させるメッシュ状に構成されていることを特徴とする地上設備のカバー。
【請求項３】
前記カバー本体は、前記地上設備の外周を包囲してその一端同士が接する際、その一端同士の接続維持を可能にする接続構造を有することを特徴とする請求項１または２に記載の地上設備のカバー。
【請求項４】
前記離脱防止体は、前記地上設備を包囲する前記カバー本体の外周を締付けるベルト締め構造を有するとともに、人に視覚的に任意にアピールする任意の表現構成を含むことを特徴とする請求項１乃至３の何れか一つに記載の地上設備のカバー。
【請求項５】
前記表現構成は、危険もしくは注意をアピールする表現構成であることを特徴とする請求項１乃至４の何れか一つに記載の地上設備のカバー。
【請求項６】
前記地上設備は、地上に存在する任意の設備であり、電柱、電柱のアース設備、道路標識の主柱、信号機の主柱、道路分離の案内物、中央分離帯の柵構成物、ガードレール、遮断棒、対向車両ライト遮断板、バリケード、板樹木、街路樹をも含むことを特徴とする請求項１乃至５の何れか一つに記載の地上設備のカバー。
【手続補正２】
【補正対象書類名】明細書
【補正対象項目名】全文
【補正方法】変更
【補正の内容】
【発明の詳細な説明】
【技術分野】
【０００１】
本発明は、地上設備の酸化チタンを含むカバーにかかわり、例えば路側環境対策の一つとして有効であるとともに、人に視覚的に危険をアピールしたり宣伝効果をアピールしたりすることが可能である地上設備のカバーに関する。
【背景技術】
【０００２】
酸化チタンは、紫外線に反応して酸化分解作用を発揮し、臭い因子の分解や、空気中の有害物質として、例えばカーボン、油煙、塵埃、ＮＯｘ（窒素酸化物）等の分解を可能にする環境対策（路側環境対策）の一つとして注目されている。酸化チタンを如何に加工して製品化し一般に提供するかという、現在この一点に着目した様々な研究開発が盛んに進められている。
【０００３】
その一例として、酸化チタンによって分解されにくいプラスチックに酸化チタン粉末を分散させた塗布液を、酸化チタンによって分解されにくいプラスチックシート上に塗布し硬化させた光触媒シートが知られている（例えば、特許文献１参照）。
【０００４】
【特許文献１】特開特開２００２−１９４１１１号公報
【発明の開示】
【発明が解決しようとする課題】
【０００５】
しかしながら、上記従来の光触媒シートは、変形し難いプラスチックシート上に液状の酸化チタン粉末を塗布するという構成であるため、地上設備として例えば電柱等の外周に沿わせて設置するといった自由度がなく、例えば路側環境対策の一環として利用するのは非常に困難であった。
【０００６】
本発明は、上記従来の技術の問題点を解決し、酸化チタンを含めても変形自在の自由度があり、地上設備として例えば電柱等の外周に簡易に設置することができ、しかも、路側環境対策の有効な部材として利用することができる地上設備のカバーを提供することを目的とする。
【課題を解決するための手段】
【０００７】
上記目的を達成するため、請求項１に記載の本発明は、地上設備のカバーであって、  前記地上設備の外周を包囲する変形自由のカバー本体と、前記カバー本体の外周を包囲して、当該カバー本体の離脱を防止する離脱防止体とを備え、カバー本体は、繊維質または吸水性のある部材で所定厚に構成され、酸化チタン水溶液に含浸されまたは酸化チタン水溶液が噴霧されて、少なくとも外表面から内部にかけて酸化チタンが混入され、離脱防止体は、酸化チタンを露出させる窓が設けられていることを特徴とする。
【０００８】
請求項２に記載の本発明は、地上設備のカバーであって、前記地上設備の外周を包囲する変形自由のカバー本体と、前記カバー本体の外周を包囲して、当該カバー本体の離脱を防止する離脱防止体とを備え、カバー本体は、繊維質または吸水性のある部材で所定厚に構成され、酸化チタン水溶液に含浸されまたは酸化チタン水溶液が噴霧されて、少なくとも外表面から内部にかけて酸化チタンが混入され、離脱防止体は、酸化チタンを露出させるメッシュ状に構成されていることを特徴とする。
【０００９】
請求項３に記載の本発明は、前記カバー本体は、前記地上設備の外周を包囲してその一端同士が接する際、その一端同士の接続維持を可能にする接続構造を有することを特徴とする。
【００１０】
請求項４に記載の本発明は、前記離脱防止体は、前記地上設備を包囲する前記カバー本体の外周を締付けるベルト締め構造を有するとともに、人に視覚的に任意にアピールする任意の表現構成を含むことを特徴とする。
【００１１】
請求項５に記載の本発明は、前記表現構成は、危険もしくは注意をアピールする表現構成であることを特徴とする。
【００１２】
請求項６に記載の本発明は、前記地上設備は、地上に存在する任意の設備であり、電柱、電柱のアース設備、道路標識の主柱、信号機の主柱、道路分離の案内物、中央分離帯の柵構成物、ガードレール、遮断棒、対向車両ライト遮断板、バリケード、樹木もしくは街路樹をも含むことを特徴とする。
【発明の効果】
【００１３】
本発明によれば、光触媒効果を増すようにした酸化チタンを含めても変形自在の自由度があり、地上設備として例えば電柱等の外周に簡易に設置することができ、しかも、路側環境対策の有効な部材として利用することができる地上設備のカバーを提供することができる。
【発明を実施するための最良の形態】
【００１４】
以下、図面を参照して、本発明に係る地上設備のカバーの一実施の形態について説明する。図１は本実施の形態に係る地上設備のカバー１の構成を説明する説明図である。
【００１５】
地上設備２には、地上に設置されている設備のすべてを含むものであり、例えば、路側の電柱、電柱のアース設備、道路標識の主柱、信号機の主柱、道路分離の案内物、中央分離帯の柵構成物（植木等も含む）、ガードレール、遮断棒、高速道路や一般道の対向車両ライト遮断板、バリケード等がその一例である。但し、本明細書においては樹木や街路樹も地上設備２に含めるものであり、以下、地上設備２には、代表例として電柱３を例示する。
【００１６】
本実施の形態の地上設備２のカバー１は、図１に示すように、地上設備２としての電柱３の外周を包囲する酸化チタンを含む変形自由のカバー本体１１を備える。
【００１７】
カバー本体１１は、例えば、不織布系の繊維、やし繊維、もしくは化学繊維等を用いて所定厚に構成されており、少なくともその外表面から内部にかけて酸化チタンが混入されている。但し、カバー本体１１には、スポンジ等の吸水性のある部材を用いても良い。
【００１８】
カバー本体１１の厚さは、任意の厚さを採用して良く、例えば、不織布系で１．０ｍｍ〜１０．０ｍｍ程度、やし繊維で１０．０ｍｍ程度、化学繊維で０．１ｍｍ〜３０．０ｍｍ程度等の厚さが一つの目安であるが、それよりも厚く構成しても良い。即ち、カバー本体１１は、所謂変形自由の繊維質シートである。
【００１９】
カバー本体１１には、例えば、カバー本体１１を酸化チタン水溶液に含侵することで、もしくは酸化チタン水溶液を噴霧することで、少なくともその外表面から内部にかけて酸化チタンが混入されている。カバー本体１１に対する酸化チタンの混入の割合は特段の制約はなく、即ち任意の割合で混入させて良い。
【００２０】
カバー本体１１は、図２に示すように、変形自由の繊維質シートとして例えば電柱３の周囲を包囲し得る横寸法、及び任意の縦寸法を有する一枚の四角形状に構成されるものである。しかし、カバー本体１１は、複数枚を一枚状に重ね合わせて構成しても良い。
【００２１】
カバー本体１１は、図３に示すように、必要に応じて、地上設備２としての電柱３の外周を包囲させる際にその一端同士が接するが、必要に応じて、その一端同士に、その一端同士の接続維持を可能にする接続構造１２をあらかじめ有するように構成しても良い。接続構造１２には、例えばファスナを例示するが、面ファスナ（即ち登録商標マジックテープ）や、ボタンとボタンへの紐掛け、もしくはカバー本体１１の素材やその表面の係止糸に食い込む爪等を用いても良い。
【００２２】
尚、カバー本体１１には、例えばその一部に伸縮可能の織物やゴム材等を含めて地上設備２としての電柱３を包囲させた際にある程度の収縮力で密着性をおびるように構成することも電柱３への装着の際の作業性を向上させる上で好ましい態様である。
【００２３】
一方、本実施の形態の地上設備２のカバー１は、カバー本体１１の外周を包囲して、当該カバー本体１１の地上設備２としての電柱３からの離脱を防止する離脱防止体１３を備える。
【００２４】
離脱防止体１３は、図１及び図４に示すように、一つには、地上設備２としての電柱３の外周を包囲するカバー本体１１の外周を締付けて、カバー本体１１の電柱への装着を固定するための例えばベルト締め構造１４を有する包囲体としての構成を有する。
【００２５】
離脱防止体１３の材質には、例えばステンレス等の金属や樹脂等を用いて良く、従ってベルト締め構造１４は、金属ベルトもしくは樹脂ベルトとしてカバー本体１１を締付ける構成とすることが好ましい。ベルト締め構造１４には締付け力を発生しかつ維持する任意の構成を採用して良い。
【００２６】
一方、離脱防止体１３は、また、一つには、図４に示すように、任意の表現構成として人に視覚的に「危険」もしくは「注意」をアピールする例えば黄色の短冊状のデザイン帯としての構成を有する。
【００２７】
即ち、離脱防止体１３は、黄色の短冊状のデザイン帯として横方向に複数の所謂縦窓１５を有する。離脱防止体１３は、カバー本体１１の黒色を各縦窓１５から外界に露出させることによる離脱防止体１３の黄色とカバー本体１１の黒色とのコントラストの強調（図１参照：色表示はせず）で人に視覚的に「危険」もしくは「注意」をアピールする。但し、離脱防止体１３は、図５に示すように、各縦窓１５を斜めに傾かせることで人に視覚的に「危険」もしくは「注意」をアピールするように構成しても良い。
【００２８】
本実施の形態のカバー本体１１は、酸化チタンを含む母材が繊維質であるため、無許可の張り紙等は貼りにくくかつ剥がれ易く、即ち無許可チラシ撤去等の対策としても有効であり、しかも酸化チタンの表面積を増して光触媒効果を増すとともに光触媒効果を永続的に発揮することができる。即ち離脱防止体１３を用いるため、危険防止や注意喚起の目安としても非常に効果的である上に、複数の縦窓１５による酸化チタンの露出面積の増大化に伴って環境浄化の効果が高く、路側環境対策の実現化を図る部材として非常にその利用価値が高い。
【００２９】
尚、離脱防止体１３は、図６に示すように、メッシュ状の樹脂カバー１６を用いても良く、あるいは外表面をメッシュ状もしくは一平面状に構成し、その外表面に広告等の宣伝効果を人に視覚的にアピールする任意の表現を施しても良い。広告等の場合、これは必ずしも離脱防止体１３の外表面に直に記録等する必要はなく、随時貼り換えて使用するようにしても良い。
【産業上の利用可能性】
【００３０】
本発明は、地上設備として例えば電柱等の危険防止をアピールするカバーとして利用することができ、しかも、路側環境対策に有効な地上設備のカバーとして利用することができる。
【図面の簡単な説明】
【００３１】
【図１】一実施の形態の地上設備のカバーの構成を説明する説明図である。
【図２】カバー本体の構成を説明する説明図である。
【図３】カバー本体の変形構成を説明する説明図である。
【図４】カバー本体の接続構成を説明する説明図である。
【図５】離脱防止体の構成を説明する説明図である。
【図６】離脱防止体の変形構成を説明する説明図である。
【符号の説明】
【００３２】
１  地上設備のカバー
２  地上設備
３  電柱
１１  カバー本体
１２  接続構造
１３  離脱防止体
１４  ベルト締め構造
１５  縦窓
１６  樹脂カバー